(57)【要約】      （修正有）【課題】圧縮されたゴミが一杯に詰まったゴミ袋をゴミ収納箱から容易に取出すことができる圧縮式ゴミ箱を提供する。【解決手段】開閉可能なゴミ箱蓋上部に逆進防止機能付きトリガー式ロッド押し出し機能部品１０などが具備された圧縮式ゴミ箱において、ゴミ箱のゴミ収納部３０の底面の一部に貫通孔５０を備え、ゴミ収納部３０の底面上に底板４０を設置し、貫通孔５０を介して外部から凸形状の挿入部品を押し込むことにより底板４０を押し上げゴミ袋の取出しを容易にする。【選択図】図１
0003205285.tif 000002
【実用新案登録請求の範囲】
【請求項１】
開閉可能なゴミ箱蓋上部に逆進防止機能付きトリガー式ロッド押し出し機能部品、若しくはモーター駆動式ロッド押し出し機能部品を備え、前記ロッドが前記蓋を貫通し、同ロットの下端に押圧板を設けた圧縮機能付ゴミ箱において、前記ゴミ箱のゴミ収納部の底面の一部に貫通孔を設けたことを特徴とする圧縮式ゴミ箱
【請求項２】
前記ゴミ箱のゴミ収納部の内部底面に底板が設けられ、前記貫通孔を介して外部から凸形状の挿入部を備えた部品により、前記底板を押し上げることを特徴とする請求項１記載の圧縮式ゴミ箱
【考案の詳細な説明】
【技術分野】
【０００１】本考案は、圧縮式ゴミ箱内の圧縮されたゴミを容易に取出すためのゴミ箱およびゴミ取出し部品に関する。
【背景技術】
【０００２】ゴミ袋購入費用の節約やゴミ捨て回数の減少のため家庭や事務所等から排出される一般ゴミは圧縮式ゴミ箱が使用されている。また、産業用廃棄物に関しては、ゴミの容積換算での料金支払いや２トン車１台当たりの量で料金支払いが決まっているため一般ゴミの場合と同様に圧縮式ゴミ箱を利用してゴミの容積を減らすことで経費削減を行っている。
【先行技術文献】
【特許文献】
【０００３】
【特許文献１】特開２０１２−２４０８４８号
【特許文献２】特開２００４−１２３３２２号
【特許文献３】実用新案登録３０９７０９９号
【０００４】
【考案の概要】
【考案が解決しようとする課題】
【０００５】本考案は、圧縮式ゴミ箱を利用した場合にゴミが一杯に詰まったゴミ袋を取出す際にゴミ収納箱からの離脱が困難な場合がある。【０００６】特許文献１は、厚さ１２ミリの合板で、補強材や二重底により圧縮に耐える強固なゴミ箱を設け、補強材で補強した蓋にパッチン錠受け金具を取付け、前記ゴミ箱にパッチン錠ロック金具を設けて、蓋とゴミ箱とを４箇所取付けたパッチン錠により強固に締めつけ、蓋の裏側にナットを溶接したナット固定盤をネジ止で固定し、蓋の上部に六角ボルトを設けて前記ナット固定盤に通すと共に、六角ボルトの下端部にベアリング・ベアリング固定盤をそれぞれ溶接して、圧縮盤にネジ止で固定する方法である。しかし、本手法ではゴミ箱自体がコスト高になるため家庭用のゴミ箱としては購入し難く、操作性に於いても課題が残る。更に、圧縮されたゴミ若しくはゴミ袋を容易に取出す手法は提案されていない。【０００７】特許文献２は、ゴミを収納する収納容器と、前記収納容器の上端開口部に開閉自在に軸支された蓋体と、前記蓋体を開閉動作させる開閉機構とを備え、前記蓋体に取付けられた押圧錘によって、蓋体を閉成する際に前記収納容器内のゴミを圧縮するのでゴミの容積を圧縮できる手法である。しかし、本手法もゴミの圧縮のみしか考慮しておらず、ゴミの取出し手法に関しての発明は記載されていない。【０００８】特許文献３は、外箱と、同外箱に収納されたごみ袋とスライドし上部にごみ入れ口を設けた内箱と、上記内箱に遊嵌された押え板と、上記押え板とほぼ直角に固定された押え棒と、上記押え板を上下動させる圧縮機能と、上記押え棒を摺動させかつ固定させるレバーと、上記外箱と上記内箱とをロックするロック機構と、から構成されることを特徴とする圧縮機能付きゴミ箱であるが本手法もゴミの圧縮のみしか考慮しておらず、ゴミの取出し手法に関しての発明は記載されていない。
【課題を解決するための手段】
【０００９】上記課題に鑑み、考案者は誠意工夫の結果、圧縮式ゴミ箱内の圧縮された満杯のゴミ袋を容易に離脱させるため開閉可能なゴミ箱蓋上部に逆進防止機能付きトリガー式ロッド押し出し機能部品、若しくはモーター駆動式ロッド押し出し機能部品を備え、前記ロッドが前記蓋を貫通し、同ロットの下端に押圧板を設けた圧縮機能付ゴミ箱において、前記ゴミ箱のゴミ収納部の底面の一部に貫通孔を設ける。【００１０】更に、杭前記ゴミ箱のゴミ収納部の底面上に底板が設けられ、前記貫通孔を介して外部から凸形状の挿入部を備え、前記底板を押し上げることによりゴミ収納箱内の一杯に詰まったゴミ袋を容易に取出すことができる。前記凸形状の挿入部は機械的に凸部を押し上げても良く、ゴミ箱を抱えて前記ゴミ箱底面の貫通孔を凸形状の挿入部に差し込んでも良い。前記底板の設置によりゴミ袋を取りやすくするだけでなく、ゴミを圧縮する際の圧力によりゴミ収納部底面の変形も防止できる作用がある。
【図面の簡単な説明】
【００１１】
【図１】本考案の従来タイプのトリガー式ロッド押し出し機能付き圧縮式ゴミ箱底面に貫通穴を備え、底板を取り付けた状態を示す。
【図２】形状の異なるゴミ箱に本考案の構造を備えた状態を示す。
【図３】底板押し上げ部品を貫通孔に通す前の状況を示す。
【図４】底板押し上げ部品にて底板を完全に持ち上げた状況を示す。
【図５】底板自動押し上げ装置上に設置した本考案のゴミ箱を示す。
【図６】底板自動押し上げ装置内の凸形状の棒と歯車の構造を示す。
【考案を実施するための形態】
【００１２】以下、本考案に係る実施の形態を図面により説明する。
【実施例】
【００１３】図１は、従来の圧縮式ゴミ箱の側面図を示す。ゴミ投入口（Ａ）のあるゴミ箱の蓋（２０）上部に逆進防止機能付きトリガー式のロッド（３１）押し出し機能部品（１０）が備わりゴミ収納部（３０）から成る。前記ゴミ箱内部は、前記ロッド（３１）先端部に押圧板（３２）が取り付けられている。前記ゴミ箱は、前記ゴミ収納部（３０）内部にゴミ袋を取り付け、前記ロッド（３１）が前記ゴミ投入口（Ａ）より上部に位置した状態で前記ゴミ投入口（Ａ）からゴミを投入し前記逆進防止機能付きトリガー式のロッド（３１）を押し出すことで前記ゴミを押し潰す構造であるが前記ゴミ袋が一杯になると前記ゴミ収納部（３０）から容易に取出せない構造であるため、前記ゴミ箱の底面部に底板（４０）が挿入され、且つ、ゴミ収納部（３０）の底面の一部に貫通孔（５０）が備わっている。【００１４】図２は、ゴミ箱の蓋（２０）とゴミ収納部（３０）の固定のために前記ゴミ箱の蓋（２０）外側側面と前記ゴミ収納部（３０）外側側面に留め金とフックのセット（６０）が取り付けられた異なるタイプの逆進防止機能付きトリガー式のロッド（３１）押し出し機能部品（１０）が備わったゴミ箱に本考案であるゴミ箱底面部に底板（４０）が挿入され、且つ、ゴミ収納部（３０）の底面の一部に貫通孔（５０）を備えたものである。【００１５】図３は、本考案であるゴミ箱収納部（３０）の底面部を拡大したものである。底板（４０）の下面側には外部から貫通孔（５０）を通り抜け前記底板（４０）を押し上げるための部品（１００）に具備された凸形状の棒（１０１）の先端部が嵌合するための凹部構造となる部品を取り付けてある。図４は、底板押し上げ部品（１００）を用いて底板（４０）を押し上げた状態を示す。【００１６】図５は、底板押し上げ部品（１００）を機械的に押し上げる装置に関するものである。底板自動押し上げ装置（２００）の内部には凸形状の棒（２０１）が備わり、図６に示すように当該凸形状の棒（２０１）の側面にはラック（２０２）が具備され、モーター回転軸に取り付けた歯車（２０３）が回転することでより前記ラック（２０１）が上下運動する。尚、前記底板自動押し上げ装置（２００）は足踏みスイッチに接続されており、前記足踏みスイッチに備わったペダル（２０５）を踏み込むことでモーターが回転し、前記凸形状の棒（２０１）が駆動する。これにより、底板（４０）を押し上げる際にゴミ箱を【００１７】前記底板自動押し上げ装置（２００）上にゴミ箱を設置するだけでは底板（４０）を押し上げた際に前記ゴミ箱が倒れる場合があるためゴミ箱収納部外側側面に留め金とフックのセット（６５）を取り付けてある。
【考案の効果】
【００１８】本考案によれば、底板を取り付けることにより圧縮してもゴミ箱底部の変形が防止でき、又、本考案である貫通穴は市販のゴミ箱にも適用できる。
【符号の説明】
【００１９】１０    逆進防止機能付きトリガー式ロッド押し出し機
２０    ゴミ箱の蓋
３０    ゴミ箱のゴミ収納部
３１    ロッド
３２    押圧板
４０    底板
５０    貫通孔
６０    留め金とフックのセット
６５    留め金とフックのセット
１００  底板押し上げ部品
１０１  凸形状の棒
２００  底板自動押し上げ装置
２０１  凸形状の棒
２０２  ラック
２０３  歯車
２０５  ペダル
Ａ      ゴミ投入口
【図１】
0003205285.tif 000003
【図２】
0003205285.tif 000004
【図３】
0003205285.tif 000005
【図４】
0003205285.tif 000006
【図５】
0003205285.tif 000007
【図６】
0003205285.tif 000008